(57)【要約】      （修正有）【課題】患者生検試料の採取から固定移送・検体受付・切り出し作業・標本作製・病理診断の全工程に於いて、患者データと該当する試料の入れ替わりや試料の挫滅・混入等を防止する。また、病理組織試料用カセットの多孔口径の小型化の必要性を無くして、ブロック試料の薄切の自動化を可能にする。【解決手段】生検試料と一緒にブロック試料に包埋されて薄切用ミクロトームで薄切できる、スポンジ状ポリマーゲルマット状シートから成る固定移送用マット状シート製裏打ち用台紙で生検試料を採取・固定移送する。また、臨床側の作業従事者が患者名を記載できる記載欄を備えた該スポンジ状ポリマーゲルマット状シートから成る固定移送用マット或いは本薄切決定基準マット枠と一体化して固定移送する。更に、該スポンジ状ポリマーゲルで本薄切決定基準位置を備えた。【選択図】図１
2011247647.tif 000002
【特許請求の範囲】
【請求項１】
臨床側での患者生検・細胞試料採取時の試料の挫滅と飛散を最小限にして、該生検・細胞試料の病理標本作製現場への固定・移送から標本作製工程の中で使用される、前記生検・細胞試料の紛失・移動や挫滅の防止の為の用具に於いて；
該生検・細胞試料の採取時の試料を所定の位置に設置貼り付ける裏打ち用台紙を従来の紙製台紙ではなく前記生検・細胞試料と一緒にブロック試料に包埋されて薄切用ミクロトームで薄切できるスポンジ状ポリマーで成形したことを特徴とする試料の固定移送用台紙。
【請求項２】
臨床側での患者生検・細胞試料採取時の試料の挫滅と飛散を最小限にして、該生検・細胞試料の病理標本作製現場への固定・移送から標本作製工程の中で使用される、前記生検・細胞試料の紛失・移動や挫滅の防止の為の用具に於いて；
該生検・細胞試料の紛失・移動や挫滅・飛散の防止以外に他の試料の混入防止や形状保持の為に、該生検・細胞試料の採取時に生検・細胞試料を所定の位置に設置貼り付ける裏打ち用台紙を従来の紙製台紙ではなく、該生検・細胞試料と一緒にブロック試料に包埋されて薄切用ミクロトームで薄切できるポリマーであるスポンジ状ポリマーゲルから成る固定移送用台紙と、
該固定移送用台紙上の所定の位置に設置定着された該生検・細胞試料を更に移動・紛失・混入や挫滅の防止と該生検・細胞試料の形状保持の為に該固定移送用台紙同士或いは該生検・細胞試料の下部や周囲に滴下・塗布して、該生検・細胞試料を前記スポンジ状ポリマーゲルのマット上或いは該ポリマーで構築したマット状構造体内に確実に固定定着させる役割のゲル化能力を持つ液状ポリマーからなる試料包埋定着支持剤との２種類の性状・機能を持つポリマー構成体からなることを特徴とする試料の固定移送用台紙及び試料包埋定着支持剤。
【請求項３】
病理標本作製等の生検・細胞試料の固定・移送から標本作製工程の中で使用される、前記生検・細胞試料の紛失・移動や挫滅・飛散の防止の為の用具に於いて；
該生検・細胞試料の採取時の試料を所定の位置に設置貼り付ける裏打ち用台紙を従来の紙製台紙ではなく、前記生検・細胞試料と一緒にブロック試料に包埋されて薄切用ミクロトームで薄切できるスポンジ状ポリマーが、ポリビニルアルコールにアルデヒドを反応させてアセタール化したポリビニルホルマール製、またはゼラチンを付加したポリビニルアルコール製、またはウレタン樹脂製等の化学合成系生分解性プラスチックであることを特徴とする請求項１又は２記載の試料の固定移送用台紙。
【請求項４】
病理標本作製等の生検・細胞試料の固定・移送から標本作製工程の中で使用される、前記生検・細胞試料の紛失・移動や挫滅・飛散の防止の為の用具に於いて；
該生検・細胞試料の採取時の試料を所定の位置に設置貼り付ける裏打ち用台紙を従来の紙製台紙ではなく、前記生検・細胞試料と一緒にブロック試料に包埋されて薄切用ミクロトームで薄切できるスポンジ状ポリマーゲルが、寒天、カードラン、ジェランガム等のゲルを形成する天然食物繊維が素材のゲルで成形されたことを特徴とする請求項１又は２記載の試料の固定移送用台紙。
【請求項５】
病理標本作製等の生検・細胞試料の固定・移送から標本作製工程の中で使用される、前記生検・細胞試料の紛失・移動や挫滅・飛散の防止の為の用具に於いて；
該生検・細胞試料の採取時の試料を所定の位置に設置貼り付ける固定移送用裏打ち台紙上の所定の位置に設置定着された該生検・細胞試料を更に移動・紛失・混入や挫滅の防止と該生検・細胞試料の形状保持の為に、該固定移送用台紙同士或いは該生検・細胞試料の下部や周囲に滴下・塗布して、該生検・細胞試料を一緒にブロック試料に包埋して薄切用ミクロトームで薄切できるポリマーである該固定移送用スポンジ状ポリマーマット上或いはポリマーで構築した構造体内に確実に固定定着させる役割のゲル化能力を持つ液状ポリマーからなる試料定着支持剤がジェランガム、アルギン酸、ペクチンを代表とする１価または多価のカチオンによってゲルを形成する天然食物繊維の水溶液であることを特徴とした請求項２記載の試料包埋定着支持剤。
【請求項６】
病理標本作製等の生検・細胞試料の固定・移送から標本作製工程の中で使用される、前記生検・細胞試料の紛失・移動や挫滅・飛散の防止の為の用具に於いて；
該生検・細胞試料の採取時の試料を所定の位置に設置貼り付ける固定移送用裏打ち台紙上の所定の位置に設置定着された該生検・細胞試料を更に移動・紛失・混入や挫滅の防止と該生検・細胞試料の形状保持の為に、該固定移送用台紙同士或いは該生検・細胞試料の下部や周囲に滴下・塗布して、該生検・細胞試料を一緒にブロック試料に包埋して薄切用ミクロトームで薄切できるポリマーである該固定移送用スポンジ状ポリマーマット状シート上或いはポリマーで構築した構造体内に確実に固定定着させる役割のゲル化能力を持つ液状ポリマーからなる試料定着支持剤がジェランガム、アルギン酸、ペクチンを代表とする１価または多価のカチオンによってゲルを形成する天然食物繊維と寒天、カードランの溶液の温度変化でゲルを形成して、その溶解濃度でゲル化温度が変化する天然食物繊維を常温ではゲルを形成しない濃度で増粘剤として溶液内ポリマーの均等分布と粘度を調製した水溶液であることを特徴とした請求項２記載の試料包埋定着支持剤。
【請求項７】
病理標本作製等の生検・細胞試料の固定・移送から標本作製工程の中で使用される、前記生検・細胞試料の紛失・移動や挫滅・飛散の防止の為の用具に於いて；
該生検・細胞試料の採取時の試料を所定の位置に設置貼り付ける固定移送用裏打ち台紙上の所定の位置に設置定着された該生検・細胞試料を更に移動・紛失・混入や挫滅の防止と該生検・細胞試料の形状保持の為に、該固定移送用台紙同士或いは該生・細胞検試料の下部や周囲に滴下・塗布して、該生検・細胞試料を一緒にブロック試料に包埋して薄切用ミクロトームで薄切できるポリマーである該固定移送用スポンジ状ポリマーマット上或いはポリマーで構築した構造体内に確実に固定定着させる役割のゲル化能力を持つ液状ポリマーからなる試料定着支持剤がグルコマンナンを酸化剤で酸化した酸化グルコマンナンのアセチルエステル化物或いは酸化グルコマンナンのアルコール系とのエステル化物をアルコール又はアルコールホルマリン溶液で凝固・ゲル化させることを特徴とした請求項２記載の試料包埋定着支持剤。
【請求項８】
病理標本作製等の生検・細胞試料の固定・移送から標本作製工程の中で使用される、前記生検・細胞試料の紛失・移動や挫滅・飛散の防止の為の用具に於いて；
該生検・細胞試料の採取時の試料を所定の位置に設置貼り付ける固定移送用裏打ち台紙を従来の紙製台紙ではなく、前記生検・細胞試料と一緒にブロック試料に包埋されて薄切用ミクロトームで薄切できるスポンジ状ポリマーが、ポリビニルアルコールにアルデヒドを反応させてアセタール化したポリビニルホルマール製、またはゼラチンを付加したポリビニルアルコール製、またはウレタン樹脂製等の化学合成系生分解性ポリマーや寒天、カードラン、ジェランガム等のゲルを形成する天然食物繊維が素材のポリマーで成形し、該裏打ち用台紙の形状が台形を含む方形状の上部開口部を成形した容器状構造体底部にして、該構造体底部上の試料の固定・脱水・脱脂・透徹等の薬液処理工程から包埋・薄切作業を通して一貫して使用して、該構造体底部ごと底部内の試料を薄切可能にする為に試料の固定移送用裏打ち用台紙の形状を病理組織試料用処理籠の一部構造体として成形したことを特徴とした請求項１と２記載の方形容器構造形状の試料のスポンジ状ポリマー製固定移送用裏打ち用台紙機能構造体。
【発明の詳細な説明】
【技術分野】
【０００１】
本発明は、医師や生命科学者が病気の診断や治療を決める為、または生命の研究ために、患者や生命体から採取した生物試料を薄切・染色標本にして、それを医療または研究のデータとして役立てる為に生検組織試料の管理システムの中で用いる、採取試料データや検体番号や既往歴等のデータ記載・関連付けを確実にした前記生検・生物試料を所定の位置に設置定着でき、且つ該生検・生物試料と一緒に薄切・染色標本の作製ができるスポンジ状ポリマーで成形した試料の固定移送用裏打ち台紙を収納した固定移送容器と該試料データの受付から標本作製及びそれを用いた包埋方法とブロック試料データの保存管理と省力化に関する。
【背景技術】
【０００２】
説明図４A、Bに示す如く、従来の生検試料（図４Aの２）の採取・固定移送・薬液処理等の標本作製工程に於いて、例えば図４の内視鏡検査の鉗子（図４Aの３）から生検試料（図４の２）の挫滅を最小限に抑えて、試料の生体内浸出液の固定液による固化力で生検試料（図４の２）と貼り付き、試料の採取部位の位置番号（図４の４b）を記載できる裏打ち台紙（図２の４a）や、針生検の棒状或いは糸状の細長い生検試料の折れ・紛失・前後順序の入れ替わり・混入・挫滅防止と採取部位の位置番号記載用裏打ち台紙や内視鏡的粘膜切除術（EMR）の裏打ち台紙は全て濾紙やケント紙状の紙製で形成されており、この裏打ち台紙は試料の薬液処理或いは包埋試料ブロック作製時には試料から剥がし廃棄されている。
【０００３】
それは、濾紙或いはケント紙製の裏打ち台紙を一緒に包埋してブロック試料作製して試料と一緒に薄切すると３から５ミクロン程で薄切することが困難であり、薄切刀の刃も直ぐに刃こぼれを起こし、その染色標本も多くの色素に染まってしまうからである。
【０００４】
また、濾紙或いはケント紙製の裏打ち台紙は試料の固定等の薬液浸透を阻害する傾向があり、時には直径０．５mm程度の生検試料は濾紙或いはケント紙製の裏打ち台紙の紙繊維内に食い込み試料を剥がすことが困難に成ることも屡々である。
【０００５】
更にまた、従来の固定移送容器で前記患者生検試料を移送する場合に１個の固定移送容器内に複数の生検試料を裏打ち台紙に貼り付けて一緒に収納移送すると移送時の固定液の振動と試料同士の接触によって生検試料が裏打ち台紙から剥げ落ちて患者試料の採取部位が不明に成ることが多い。この患者試料の採取部位を明確にする為は、患者生検試料のその採取部位番号データを記載した固定移送容器ごとにそこに対応している各1個の生検試料を収納する方法であり、固定移送容器の必要数は採取生検試料の数だけ必要になっている。
【０００６】
更にまた、前記固定移送容器の中に前記採取生検試料を収納した従来の病理組織カセット（特許文献１、特許文献２）を入れて検体として移送して来て、切り出し時点で既に固定液に汚染されている該カセットを洗浄・乾燥させ、或いは廃棄して新規のカセットにデータ記載または印字するかであるが、この時点で固定移送されて来た前記採取試料の取り扱いを慎重にしなければ取り間違えが生じている。
【０００７】
故に、生検試料のスライド標本を作製した後は、その各々の生検試料が該当すべき患者由来のスライド標本である確実な証拠はなく、もしも試料採取から標本作製と診断・報告書発行工程の何処かで取り扱いミス等のトラブルが生じても、後から検証することは一切不可能である。
【０００８】
更にまた、該カセット基体の内部に収納された生検試料は、脱水・脱脂・透徹・包埋剤浸透等の薬液処理を施されて包埋皿の底部に移し替えられ、その上から前記カセット基体を該包埋皿の開口部から所定の箇所に設置して該カセット基体を薄切用ブロック支持台木として生物試料を包埋ブロック試料として一体的に包埋する。その後、前記包埋ブロック試料は、前記基台を薄切用ミクロトーム用カセットアダプターに固定して薄切し、スライドグラスへの薄切切片試料の転写・伸展・乾燥貼り付け・染色・封入等の作業工程後顕微鏡判定や診断に供する。
【０００９】
即ち、患者の生検試料の採取時から該採取試料の固定移送容器への収納及び移送・検体（試料を収納した固定移送容器と試料データ）の受付照合・切り出し作業・標本作製作業（固定・脱水・脱脂・透徹・包埋剤浸透・、包埋、薄切、スライドグラスへの薄切切片試料の転写と伸展貼り付け、染色、封入）・鏡検病理診断から該生検試料の保管管理検索工程に於いて、患者試料と該試料データの確実な移送伝達システムは完成していない。
【００１０】
更にまた、病理・生物試料用処理籠である従来の所謂病理・生物試料用カセットでは、試料の移送・固定・脱水・脱脂・透徹・包埋剤浸透の薬液処理工程から包埋ブロック作製、薄切作業とその後のブロック試料保管管理までの作業の中で、該病理・生物試料用処理籠である従来の所謂病理・生物試料用カセットの蓋部が不要になり廃棄しており、その廃棄物が環境破壊の一原因にも成っている。
【００１１】
臨床側で前記患者から生検試料の採取時に、担当医が該生検試料を採取して、所定の固定移送容器内に該生検試料を収納した場合、前記固定移送容器に収納された該生検試料が該患者から確実に採取された生検試料であることの確認は、該担当医或いはその介助者が知っているのみで、この作業中のミスで試料の入れ間違えや固定移送容器の患者ラベル等の貼り違いが一切無いという保証もその作業証拠も残っていない。何故ならば、前記固定移送容器には患者名や患者属性が記載されていても、その中で固定収納された生検試料には患者名等のデータ記載がされていないし、例えば直径約０．５から１．５mm程度の内視鏡生検試料や長さは１５mm程度あるが太さがやはり０．５から１．５mm程度の針生検試料やそれ以上に大きな直径数ミリのポリープ生検試料でも、一度患者体内から切除採取した時点で遺伝子検査でもしない限り、採取された後の患者試料の同定は困難である。
例えば、前記固定移送容器内から所定の病理・生物試料用カセットに収納された前記患者生検試料が該病理・生物試料用カセットに記載或いは印字された患者データと異なった場合には、後に残った証拠は患者の検査依頼書と空になった固定移送容器のみであり、患者生検試料の採取時から移送・受付・照合から切り出し時・包埋ブロック作製時等のどの作業工程時に入れ替わったのかは、全く不明でありその責任の在りかは解らず、ただその時検査された患者の被害は命にも関わる大きな事故に繋がっているのが現状である。
【先行技術文献】
【特許文献】
【００１２】
【特許文献１】実開昭和５８−１３２８７０号公報
【特許文献２】実開昭和６３−１３５１６６号公報
【特許文献３】特開平３−４６５６０号公報
【特許文献４】特許第４１６４６０８号公報
【特許文献５】特開２００９−１６８７３７号公報
【発明の概要】
【発明が解決しようとする課題】
【００１３】
従来の技術は上述の通りであるので、本発明が解決しようとする問題点は、この様な医療トラブルは多くの医療機関でも生じており、その作業ミスの原因解明や責任の在処を探しても、その作業工程で検証できる証拠は一切残っていないのが現状である。何故ならば、患者試料が病理診断されるまでの全工程に関与する医療関係者は、臨床医・看護師・検体移送メッセンジャー・検査受付事務・切り出し作業者・包埋ブロック作製作業者・標本作製作業者・病理診断医等々であり、更に患者試料の移送器具や依頼データ等々が前記各作業者に連携伝達されて作業が完了するのであり、その全工程の内で一カ所でも間違えや行き違いが生じるとトラブルが発生するからである。この事を解決することである。
【００１４】
更にまた、本発明が解決しようとする問題点は、１患者生検試料：１固定移送容器：１病理・生物試料用カセットとして固定移送容器や病理・生物試料用カセットに掛かるコストの削減である。
【００１５】
更にまた、本発明が解決しようとする問題点は、患者生検試料のその採取部位番号データを記載した裏打ち用台紙上に採取した新鮮生生検試料を貼り付けて、固定液内に漬けて生体内の浸出液の凝固力でその設置位置に定着させる方法であるが、該裏打ち用台紙から前記患者生検試料が剥げ落ちて、固定移送容器内の複数の生検試料の採取部位番号が不明になる事故が生じている。また、従来の裏打ち用台紙は紙製であり試料の薬液処理工程の薬液の浸透を邪魔して、試料と一緒に包埋して薄切すると薄切刀の刃を傷つけて、数ミクロンに切ることが難しく、且つ試料の染色時に多くの染色色素に染まるので、従来の裏打ち台紙から生検試料を剥がし取らなければならず、顕微鏡で拡大診断している鏡検診断に致命的な試料の挫滅が生じて、生検組織の破壊や混入・紛失が起きている。この試料データの不明瞭や試料の挫滅・混入・紛失等のトラブルの発生を防止し、生検試料の固定移送経費の削減を図る事である。
【００１６】
更にまた、本発明が解決しようとする問題点は、臨床患者試料データと病理データとの確実な伝達・連結を完成させることである。
【００１７】
更にまた、本発明が解決しようとする問題点は、包埋支持剤（ポリマー２）に相当する従来の所謂包埋支持剤（例えば、本発明者が既に発明出願している特許文献４のグルコマンナン修飾誘導体である酸化グルコマンナンエステル化物からなる包埋定着支持剤或いは特許文献３のアルギン酸を用いた包埋支持剤）のみでは生検試料を生物学的固定前に該所謂包埋支持剤で包埋支持して、その後に生物学的固定を後から実施すると、生物学的固定が不十分且つアーチファクトが生じて鏡検に不適切な標本になる事がある。これを解決することである。
【００１８】
更にまた、本発明が解決しようとする問題点は、トラブルが発生した場合には、後から何処でそのミスが発生したかの検証可能な証拠残し、後日の医療ミス防止の対策に役立てることである。
【００１９】
また更に、本発明が解決しようとする問題点は、従来の試料の薬液処理籠である病理・生物試料用カセットは試料の大きさによってカセットの多孔通液孔の口径を換えて成形して、その成形コストは嵩みまた種々の形状のカセットを使用する煩わしさが生じている。この事を解決することである。
【００２０】
また更に、本発明が解決しようとする問題点は、合成樹脂製の試料の薬液処理籠である所謂カセットの多孔通液孔の口径をプラスチック成形の限界まで小さくしても生物の細胞レベルの数十から百ミクロンの大きさまでの多孔口径を成形することは出来ないが、この生物の細胞大以下の試料をも保持収納して固定液の通過と脱水・脱脂・透徹・包埋剤浸透の薬液処理できる標本作製の薬液処理籠システムを構築することである。
【００２１】
また更に、本発明が解決しようとする問題点は、従来の病理・生物試料用処理籠である所謂病理・生物試料用カセット等の使用時に出る、所謂環境破壊の一要素になる生分解しないプラスチックで成形されている蓋部やその他の医療廃棄物を最小限にすることである。
【課題を解決するための手段】
【００２２】
本発明の基本である主要な特徴は、従来の病理学的検査に於いて細胞レベル以下の大きさの生物試料をも一緒に保持収納して、該生物試料と共に固定液の通過と脱水・脱脂・透徹・包埋剤浸透の薬液処理と数ミクロンで薄切出来て多くの染色液に染まらないスポンジ状ポリマーゲルマットから成形される機能形態である生検試料の採取位置番号1a記載ができるスポンジゲル製裏打ち台紙（スポンジ状ポリマーで成形した固定移送用台紙）（ポリマー１）1を成形することである。
【００２３】
更に本発明の基本である主要な特徴は、前記スポンジ状ポリマーゲルからなる裏打ち台紙配列差し込み孔1cと薄切面決定基準：本薄切決定基準位置1fと方向決定基準1gを目的によって成形するスポンジゲル製裏打ち台紙１の配列試料定着移送用スポンジ状ポリマーゲルマット（ポリマー１）1bを成形することである。
【００２４】
更に本発明の基本である主要な特徴は、前記スポンジ状ポリマーゲルからなるスポンジゲル製裏打ち台紙１の配列試料定着移送用スポンジ状ポリマーゲルマット１bが嵌合固定する嵌合内壁1eと薄切面決定基準（ポリマー１）：本薄切決定基準位置1fと前記裏打ち台紙（スポンジ状ポリマーで成形した固定移送用台紙）の方向決定基準1gを成形したスポンジゲル製裏打ち台紙１配列用のスポンジ状ポリマーゲル試料定着移送用マット嵌合固定枠（ポリマー１）1dを成形することである。
【００２５】
更に本発明の基本である主要な特徴は、カセット多孔蓋部との嵌合部1pを持つスポンジ状ポリマーゲル製方形底部1lを成形することである。
【００２６】
更に本発明の基本である主要な特徴は、前記スポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）とゲル化能力を持つ液状ポリマー１５からなる試料の包埋定着支持剤１５a（ポリマー２）の２種類のポリマーゲルで構成されている生検・細胞試料用包埋定着支持基材である。
【発明の効果】
【００２７】
本発明のスポンジ状ポリマーゲルマット成形構成体（ポリマー１）であるポンジゲル製裏打ち台紙（スポンジ状ポリマーで成形した固定移送用台紙）１と試料定着移送用スポンジ状ポリマーゲルマット（ポリマー１）1bは、先ず図１A、B、D、Gと図２A、B、Cと図３A、Bに示す様に前記スポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）で、鉗子採取生検試料２の内視鏡鉗子３からの生検試料２の採取はスポンジゲル製裏打ち台紙（スポンジ状ポリマーで成形した固定移送用台紙）１で実施して、針生検試料２a又は内視鏡的粘膜切除術（EMR）試料２ｂの裏打ち固定定着移送には試料定着移送用スポンジ状ポリマーゲルマット（ポリマー１）1bを使用して、固定移送容器に収納して生検試料を固定移送すると試料の挫滅を最小限に止めて、該生検試料の紛失・混入・移動を防止できる。
【００２８】
更に本発明は、本発明者が同時出願した発明と既に出願している特許文献５と併用すると特にその威力を発揮する発明である。何故ならば、スポンジ状ポリマーゲルマットから成形される機能形態であるスポンジゲル製裏打ち台紙１を代表とするスポンジ状ポリマーゲルマット成形構成体（ポリマー１）は前記生検・細胞試料の支持体であり支持体のみで固定移送と薬液処理を担うものではなく薬液処理籠或いは固定移送容器内に生検・細胞試料を保持して一緒に収納処理される。例えば臨床医が胃の内視鏡検査において生検試料を採取した場合、従来は前述したように複数の生検試料の固定移送容器に各々の生検試料を収納して固定・移送するか、または従来の裏打ち用紙に生検試料を貼り付けて固定移送容器に入れるか、または従来の分画カセットの小部屋に各々の生検試料を収納して更に従来の固定移送容器内にカセットごと収納して固定液で固定移送している。
この従来の生検試料の固定移送方法では、前述した固定移送容器コストや生検試料の剥げ落ち・混入・紛失等の問題を除いても、従来の固定移送方法には患者の試料臨床データと病理データとの確実な伝達・連結方法がないので、この臨床側と病理検査側の患者データの伝達・連結を確実なものにすることである。
該患者試料の固定移送には、固定液を入れる容器と該容器内の試料を識別・同定する患者属性等のデータ記載部またはデータラベルが必要であり、これら容器の外側に記載するデータラベルは既に存在している。しかし臨床側で採取処理した試料自体或いは採取作業自体にその試料である検体（患者試料と該臨床データ）を識別・同定する患者属性等のデータ記載部またはデータラベルを貼り付ける箇所はなくその考え方もないのが現状である。
その解決の為には、例えば患者試料を生検試料の鉗子等から該試料の挫滅を最小限に抑えて採取する所謂紙ピンセットや従来の紙製裏打ち台紙（図４Aの４a）の代わりに該生検試料（図１の２）と一緒にブロック試料に包埋されて薄切用ミクロトームで薄切できるスポンジ状ポリマーゲルから成る固定移送用裏打ち用台紙（図１の１）を使用することであり、該生検試料（図１の２）の各々の固定移送用裏打ち用台紙（図１の１）には、各々の生検試料（図１の２）の採取部位を示す位置番号（図１の１a）を記載する箇所を備えることである。
【００２９】
更に図１Hと図１５A、Bと図３１A、Bに示すように、採取された生検試料（図３１の２）が固定移送中に剥がれ落ちないようにする為に前記生検試料（図３１の２）と一緒にブロック試料に包埋されて薄切用ミクロトームで薄切できるスポンジ状ポリマーゲルから成る固定移送用裏打ち用台紙（図３１の１）に貼り付けられた生検試料（図３１の２）が、ホルマリン等の固定液の振動揺れによって剥がれ移動しないように、該生検試料（図３１の２）ごと該固定移送用裏打ち用台紙（図３１の１）と同素材のブロック試料に包埋されて薄切用ミクロトームで薄切できるスポンジ状ポリマーから成る試料定着移送用マット（図３１の１ｂ）上にHold Jell（包埋定着支持剤）（図３１の１５）と凝固剤（図３１の１６）とで凝固ゲル化した試料の包埋定着支持剤（ポリマー２）（図３１の１５a）で固定移送用裏打ち用台紙（図３１の１）と試料定着移送用マット（図３１の１ｂ）の間に該生検試料（図３１の２）を挟持して固定する。この時、凝固ゲル化したゲル化した試料の包埋定着支持剤（ポリマー２）（図３１の１５a）は該生検試料（図３１の２）に直接に触れないようにして固定することが望ましい。
またこの凝固ゲル化した試料の包埋定着支持剤（ポリマー２）（図３１の１５a）の代わりに本発明者が発明した特許文献４のグルコマンナンの修飾誘導体である酸化グルコマンナンエステル化物を用いてアルコール又はアルコールホルマリンで凝固・ゲル化した包埋定着支持剤を使用しても良い。更にこの時図３１の該固定移送用裏打ち用台紙１と試料定着移送用マット１ｂ上に臨床側で記載できる患者名（試料名）記載欄１１を設けることができる。
【００３０】
更にまた、図１D、E、F、J、Kと図５B、Cと図１３A、Bに示すように採取された生検試料２が固定移送中に剥がれ落ちないようにする為に生検試料２と一緒にブロック試料に包埋されて薄切用ミクロトームで薄切できるスポンジ状ポリマーゲルから成る固定移送用裏打ち用台紙１に付着している該生検試料２ごと図５B、Cと図１３A、Bに記載のスポンジゲル製裏打ち台紙挿入小部屋１４ｆ内に収納嵌め込み、固定移送容器で固定移送すると該生検試料２は前記凝固ゲル化した試料のHold Jell（包埋定着支持剤）１５aの固定液浸透上の邪魔もなく、スポンジ状ポリマーゲルから成る該固定移送用裏打ち用台紙１から剥げ落ちることなく十分に固定されて標本作製現場に移送されてくる。また、この方式での固定移送は例えば図１４A、Bに示すように、そのまま切り出し時の試料確認を済ませて、標本作製工程である脱水・脱脂・透徹・包埋剤浸透の薬液処理から包埋・ブロック作製作業へと進むことができる。この事は、図５B、Cでも同じである。
【００３１】
更にまた、図１A、B、C、E、Fに於ける鉗子採取生検試料２の固定移送には、図５Ａと図１１Ａ、Ｂに示す様に生検試料２が付着している固定移送用裏打ち用台紙１をポンジ状ポリマーから成る試料定着移送用マット１ｂで挟持保持して固定移送すると、特許文献１の様に生検試料２の剥げ落ち・移動を防止できる。
【００３２】
この時例えば、図１A、Ｂの生検試料２の固定移送には図５Ｄ或いは図Ａ、Ｂの固定移送容器を用いると多くの鉗子採取生検試料２又は大きい形状の患者試料と一緒に臨床側から標本作製現場に運ぶことができる。
【００３３】
更にまた、図１ＩとＬとに図示した様に鉗子採取生検試料２を生検採取針或いは楊枝４で内視鏡鉗子３から採取して、図１Ｌ裏打ち台紙配列差し込み孔1cを成形した試料定着移送用スポンジ状ポリマーゲルマット１bの該差し込み孔１ｃの内壁に該生検試料２を付着して固定移送すると該生検試料２の剥離脱落防止にも効果的である。
【００３４】
これは図１Ｅ、Ｆ、Ｊ、Ｋの生検試料２の固定移送方法の図６Ａ、Ｂ、Ｃと図１７Ａ、Ｂと図１８Ａ、Ｂ、Ｃと図１９Ａと図３２の応用であるが、この時図１７と図１８との相違点は、
図１７は生検試料２が付着したスポンジゲル製裏打ち台紙１を収納嵌合孔が区切りのない一つの嵌合内壁１eで形成されていて嵌合孔方向決定基準１gを成形した嵌合固定枠1dの収納嵌合孔に順次嵌合収納して、その収納孔のスポンジゲル製裏打ち台紙１の後側からHold Jell（包埋定着支持剤）１５とその凝固剤16を滴下してゲル化した試料の包埋定着支持剤（ポリマー２）15aでスポンジゲル製裏打ち台紙１を一つに纏めて、スポンジゲル製裏打ち台紙１の前側に付着している該生検試料２を一体的に保持している。
それに対して図１８の様にスポンジゲル製裏打ち台紙配列定着移送用スポンジ状ポリマーゲルマット（ポリマー１）１bを使用していて該定着移送用スポンジ状ポリマーゲルマット（ポリマー１）１bには複数のスポンジゲル製裏打ち台紙用配列差し込み孔１ｃが成形されている。該差し込み孔１ｃに生検試料２が付着したスポンジゲル製裏打ち台紙１を挿入嵌合して、図１７とは逆に該生検試料２が付着したスポンジゲル製裏打ち台紙１の前側からHold Jell（包埋定着支持剤）１５とその凝固剤16を滴下してゲル化した試料の包埋定着支持剤（ポリマー２）15aでスポンジゲル製裏打ち台紙１と該生検試料２を一つに纏めて、スポンジゲル製裏打ち台紙１の前側に付着している該生検試料２を一体的に保持している。勿論この操作方法は図１７と図１８とを逆にしても良い。勿論、この実施法は図１６A、B、Cと図１９A、B、Cと図２０A、Bにも応用できる。このスポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）とゲル化能力を持つ液状ポリマー１５と凝固剤16からなる試料の包埋定着支持剤１５a（ポリマー２）の２種類のポリマーゲルで構成されている生検・細胞試料用包埋定着支持方法はそのまま病理・生物試料用カセット内に収納して、固定・脱水・脱脂・透徹・包埋剤浸透・包埋簿ロック作製・薄切ができ、染色標本作製工程へと作業を進めることができる。
【００３５】
更にまた、図２A、B、Cの針生検２aの採取固定移送には、針穿刺生検採取器１８aから直接に針生検２aを針生検用のスポンジゲル製裏打ち台紙１bに押しだし付着して固定する。該針生検用のスポンジゲル製裏打ち台紙１bには採取された針生検２aの表皮側と深部側とを目視できる方向決定基準１ｇが成形されている。該針生検２aの付着固定されたスポンジゲル製裏打ち台紙１bを図５Aの様に固定移送しても良いが、図２Bではスポンジゲル製裏打ち台紙配列用スポンジ状ポリマーゲル試料定着移送用マット嵌合固定枠（ポリマー１）1dにスポンジゲル製裏打ち台紙用配列差し込み孔１ｃを設けて、該差し込み孔１ｃに該針生検２aの付着固定されたスポンジゲル製裏打ち台紙１bを挿入嵌合して固定移送（図７）している。この時、スポンジゲル製裏打ち台紙配列用スポンジ状ポリマーゲル試料定着移送用マット嵌合固定枠（ポリマー１）1dにも方向決定基準１ｇが成形されているので、図７のデータ記録部と保護板付き独立した生物試料収納固定移送処理用多孔容器籠１４と一緒に固定移送容器に収納して、標本作製現場側に移送後、包埋ブロック作製と薄切・標本作製工程に進むことができる。
この際図２１に示す様に該針生検２aの付着固定されたスポンジゲル製裏打ち台紙１bの該針生検２aが付着固定されていない台紙後部側にゲル化能力を持つ液状ポリマー１５と凝固剤１６からなる試料の包埋定着支持剤１５a（ポリマー２）を流し込みスポンジ状ポリマーゲル同士を接着固定すると、図２１からも理解されるように該針生検２aは該スポンジゲル製裏打ち台紙１bに付着固定している該スポンジゲル製裏打ち台紙１b面とその周囲を囲む前記スポンジゲル製裏打ち台紙配列用スポンジ状ポリマーゲル試料定着移送用マット嵌合固定枠（ポリマー１）1dの中に収納されており、該針生検２aを納めている該スポンジゲル製裏打ち台紙１bに付着固定している該スポンジゲル製裏打ち台紙１b面とその周囲を囲む前記スポンジゲル製裏打ち台紙配列用スポンジ状ポリマーゲル試料定着移送用マット嵌合固定枠（ポリマー１）1dを試料の包埋定着支持剤１５a（ポリマー２）で接着固定した該針生検２aを図７に示すように生物試料収納固定移送処理用多孔容器籠１４に収納すれば、該針生検２aは完全にその場所に固定されて挫滅・移動・紛失することなく、固定移送から検体の受付・照合確認と切り出し作業後の脱水・脱脂・透徹・包埋剤浸透・包埋作業・薄切・標本作製の一貫した作業工程に乗せることができる。
【００３６】
この事は図３A、Bと図８A、B、Cと図９A、B、C、D、E、F、Gと図１２からも理解される様に内視鏡的粘膜切除術（EMR）試料２bの固定移送から
図２２A、B、C、Dに示すように受付・照合確認・切り出し・薬液処理・包埋ブロック作製と標本作製工程に於いて、スポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）とゲル化能力を持つ液状ポリマー１５と凝固剤１６からなる試料の包埋定着支持剤１５a（ポリマー２）の２種類のポリマーゲルで構成されている生検・細胞試料用包埋定着支持方法は、試料の良好な固定と挫滅・変形・移動・紛失のない安全な試料の固定移送と標本作製を保証している。
更に図２２A、B、C、Dからも理解されるように辺縁が歪で不整形な内視鏡的粘膜切除術（EMR）試料２bの切り出しと切り出しトリミングされた切り出し面を立てて包埋する作業ご容易にしている。この切り出し標本作製時にゲル化能力を持つ液状ポリマー１５と凝固剤16からなる試料の包埋定着支持剤１５a（ポリマー２）を必ず使用する必要はなく、またスポンジゲル製裏打ち台紙配列用スポンジ状ポリマーゲル試料定着移送用マット嵌合固定枠（ポリマー１）1dは使用せずにスポンジゲル製裏打ち台紙配列定着移送用スポンジ状ポリマーゲルマット（ポリマー１）１bのみ使用して該定着移送用スポンジ状ポリマーゲルマット（ポリマー１）１bの表面に該内視鏡的粘膜切除術（EMR）試料２bの漿膜側を付着固定して固定移送と切り出し・標本作製作業をしても良い。
【００３７】
更にまた、図６Bと図１４Bと図１５Cと図１７と図１８から図２２と図２５から図３０とに示した様に、例えば生検試料の採取時の大きさが直径０．５から１．５mm程度の複数の試料の最大割面の一平面上に並べて、ミクロトームでの薄切作業或いは自動薄切機に於いて、そのブロック試料の面出し荒削りから本薄切に切り替えるタイミングを示す本薄切決定基準位置１ｆをスポンジ状ポリマーゲルマットで成形することができる。
図１５は、例えば図１A、Gの鉗子採取生検試料２の切り出し時に前記スポンジゲル製裏打ち台紙（スポンジ状ポリマーで成形した固定移送用台紙）（ポリマー１）１のスポンジゲル製裏打ち台紙後部端面1iと該鉗子採取生検試料２の最大割面の位置を生検を直接観察してスポンジゲル製裏打ち台紙薄切面決定基準調製後の後部端面1jとスポンジゲル製裏打ち台紙薄切面決定基準調製後の前端面1kを切り出して作製して本薄切決定基準位置１ｆを決めて包埋ブロックを作製することができる。
【００３８】
更にまた、図２３に示す様にIAとIBは前記説明の種々試料の鉗子生検試料２や針生検試料２aや内視鏡的粘膜切除術（EMR）試料２bに対応する形状であるが、IAとICやIIAとその断面IIBやIIIAとその断面IIIBは細胞標本（セルブロック）標本作製に便利である。この図２３のIIICの左側に図示したように直径１cm程の差し込み孔1cを形成した試料定着移送用マット嵌合固定枠（ポリマー１）1dと該嵌合固定枠（ポリマー１）1dの外形形状の該定着移送用スポンジ状ポリマーゲルマット（ポリマー１）１bとで成形されていて、該ポリマーゲルは互いに接着して差し込み孔1cの開口部を塞ぐことができる。この時、例えば差し込み孔1cに細胞集塊を収納して上から包埋定着支持剤１５a或いは本発明者が既に発明出願している特許文献４のグルコマンナン修飾誘導体である酸化グルコマンナンエステル化物からなる包埋定着支持剤で細胞集塊を細胞同士互いに接着保持して纏めることも出来るが、図２３からも理解されるように差し込み孔1cの上側開口部も前記外形形状の該定着移送用スポンジ状ポリマーゲルマット（ポリマー１）１bで塞ぐと、該差し込み孔1c内の細胞集塊は前記包埋定着支持剤１５a等の包埋挟持によるアーチファクトの無いセルブロック標本が作製できる。該定着移送用スポンジ状ポリマーゲルマット（ポリマー１）１bと該嵌合固定枠（ポリマー１）1dは予め他の接着剤で接着することもできるが、このスポンジ状ポリマーゲル同士の接着にも包埋定着支持剤１５a或いは本発明者が既に発明出願している特許文献４のグルコマンナン修飾誘導体である酸化グルコマンナンエステル化物からなる包埋定着支持剤で接着することができる。
【００３９】
更にまた、一部前述しているが生検試料の固定・移送時に確実か且つ良好な生物学的固定を保証する為に試料と一緒に薄切可能なスポンジ状ポリマーゲルマット上に該生検試料を設置定着して移送し、その後試料の薬液処理時の前記スポンジ状ポリマーゲルマット状シート上に生体内の浸出液の固化力で貼り付けられた生検試料の入れ替わり、混入、移動を確実に防止する為に該生検試料と該スポンジ状ポリマーゲルマット状シート製の裏打ち台紙との間或いは該スポンジ状ポリマーゲルマット同士を定着・接着する天然の食物繊維からなる包埋定着支持剤１５aを試料接着剤として使用できることは、図３３のA、B、Cと図３４A、B、C、D、Eに示している。
従来の病理組織試料用処理籠である従来の所謂病理試料用カセット等の使用時に出る、所謂環境破壊の一要素になる生分解しないプラスチックで成形されている蓋部やその他の医療廃棄物を最小限に抑え、且つ試料の挫滅や混入、紛失を無くすために為に所謂試料の固定移送用マット状シート製裏打ち用台紙を該病理組織試料用処理籠である従来の所謂病理試料用カセットの多孔底部をも兼任できる方形容器構造に形成して該病理組織試料用処理籠の一部構造体にする時、スポンジ状ポリマーゲルマットからなる底部と周囲の側壁同士の接着剤としてゲル化能力を持つ液状ポリマー１５と凝固剤16からなる試料の包埋定着支持剤１５a（ポリマー２）と本発明者が既に発明出願している特許文献４のグルコマンナン修飾誘導体である酸化グルコマンナンエステル化物からなる包埋定着支持剤とが使用できることである。
【００４０】
更にまた、図２４のIA、IB、ICとIIA、IIB、IICは、前述したように生検試料２の固定移送用のスポンジゲル製裏打ち台紙１や該生検試料用定着移送用スポンジ状ポリマーゲルマット（ポリマー１）１bとしても使用できるが、図２４IIIBを含む前記差し込み孔1cが複数開口している生検試料用定着移送用スポンジ状ポリマーゲルマット（ポリマー１）１bはTissue arrayer２２を構築するゲルマットとして直ぐに使用でき、また図２４のIA、IB、ICとIIA、IIB、IICを図２３の様に定着移送用スポンジ状ポリマーゲルマット（ポリマー１）１bと複数の差し込み孔1cを形成した試料定着移送用マット嵌合固定枠（ポリマー１）1dとして使用するとTissue arrayer ２２としてのではなく細胞用のCell block arrayer ゲルマットとして使用できる。
【図面の簡単な説明】
【００４１】
【図１】図１は本発明の実施形態である鉗子採取生検試料用のスポンジゲル製裏打ち台紙（固定移送用台紙）を示した説明図で、図１Aはスポンジゲル製裏打ち台紙（棒状台紙）で内視鏡の鉗子から生検試料を採取しているところを示している図であり、図１Bはスポンジゲル製裏打ち台紙（折りたたみ式棒状台紙）で内視鏡の鉗子から生検試料を採取しているところを示している図であり、図１Cは図１Bの台紙と生検試料の位置関係を示した図であり、図１Dは図１Aとは異なる形状のスポンジゲル製裏打ち台紙（固定移送用台紙）で生検試料を採取している図であり、図１Eは図１Dの生検位置番号を記載している説明図であり、図１Fは図１Dのスポンジゲル製裏打ち台紙（固定移送用台紙）と生検試料との位置関係を示した図であり、図１G、Hと図１I、J、K、Lもスポンジゲル製裏打ち台紙の形状は異なるが使用目的は同一の鉗子採取生検用固定移送用台紙を示す説明図である。
【図２】図２は図１とは異なる針生検試料用のスポンジゲル製裏打ち台紙（固定移送用台紙）を示した説明図であり、図２A、B、Cはその使用方法を示している図である。
【図３】図３は図１とは異なる内視鏡的粘膜切除術（EMR）試料用のスポンジゲル製裏打ち台紙（固定移送用台紙）の使用方法の説明図３Aは平面図で図３Bは側面図である。
【図４】図４は従来の紙製の裏打ち台紙の説明図で、図４（A）は紙ピンセット型裏打ち台紙であり、図４Bは紙製の裏打ち用紙の実施例の図である。
【図５】図５は生検試料の独立した生物試料収納固定移送処理用多孔容器籠による固定移送方法を示した説明図であり、図５Aは図１Aの生検試料の固定移送方法を示して、図５B、Cは図１B、C、D、E、F、G、Hの生検試料の固定移送方法を示して、図５Dは図１A、B、C、D、E、F、G、Hの生検試料の固定移送方法に適用する固定移送容器を示す説明図である。
【図６】図６A、Bは図１I、J、K、Lの生検試料の固定移送容器と方法を示している。図６（A）は図５（A）の別の実施例の平面図であり、図６（B）は図６（A）の縦断面図である。
【図７】図７は図２A、B、Cの針生検試料のスポンジゲル製裏打ち台紙（固定移送用台紙）と一緒の固定移送方法を示した説明図である。
【図８】図８A、B、Cは図３A、Bの内視鏡的粘膜切除術（EMR）試料とスポンジゲル製裏打ち台紙（固定移送用台紙）との固定移送容器医と方法の説明図であり、図８A、Bは平面図で図８Cは縦断面図である。
【図９】図９Aは小型の鉗子採取生検試料と内視鏡的粘膜切除術（EMR）生検試料を一緒に固定移送するときの一例の側面図であり、図９Bは図９Aの蓋体を開けた容器底部の平面図であり、図９Cは図９Aの固定移送容器の裏面図であり、図９D、E、F、Gは図９Aで固定移送されてきた内視鏡的粘膜切除術（EMR）生検試料検体（患者試料と患者臨床データ）の受付・照合方法の説明図である。
【図１０】図１０は図９の固定移送容器の裏面で検体（患者試料と患者臨床データ）の受付・照合工程の別の実施例の説明図である。
【図１１】図１１は図９とは異なる実施例の固定移送容器と移送方法の説明図である。
【図１２】図１２は図１１と異なる実施例の固定移送容器と移送方法の説明図である。
【図１３】図１３は図５B、Cの生検試料の固定移送後の生検試料検体（患者試料と患者臨床データ）の受付・照合方法と薬液処理前の作業の説明図である。
【図１４】図１４は図１３の試料の薬液処理（固定・脱水・脱脂・透徹・包埋剤浸透）後の包埋ブロック作製作業を示しており、図Aは従来の包埋作業、図Bは包埋ブロックのIB−IBの縦断面図である。
【図１５】図１５は図１A或いは図１Hの切り出し時の全ての生検試料の最大薄切割面を決定作業説明図である。
【図１６】図１６は図１５の別の実施方法の説明図である。
【図１７】図１７は図１６の作業の縦断面図である。
【図１８】図１８は図１７とは異なる実施例の説明縦断面図であり、図１８Cは斜面図である。
【図１９】図１９は図１８の別の実施例の斜面図である。図１９Aは鉗子採取生検試料とスポンジゲル製裏打ち台紙（固定移送用台紙）とスポンジゲル製裏打ち台紙配列スポンジ状ポリマーゲルマットとスポンジゲル製裏打ち台紙配列差し込み孔とスポンジゲル製裏打ち台紙配列スポンジ状ポリマーゲルマット状固定枠との関係を示した生検試料とスポンジゲル製固定移送用台紙構成体の斜面図であり、図１９Bは試料の薬液処理（固定・脱水・脱脂・透徹・包埋剤浸透）の為の薬液処理籠に該生検試料とスポンジゲル製固定移送用台紙構成体を収納している斜面図であり、図１９Cはその完成包埋ブロックの斜面図である。
【図２０】図２０は図１９とは異なる実施例の説明図であり、図２０Aは各ユニットの展開平面図であり、図２０Bは完成包埋ブロックの側面図である。
【図２１】図２１は図７の試料の薬液処理（固定・脱水・脱脂・透徹・包埋剤浸透）時の切り出し作業の一例の縦断面説明図である。
【図２２】図２２は図３、図８、図９での内視鏡的粘膜切除術（EMR）試料の固定移送・受付照合確認後の切り出し作業の一例の説明図（図２２A、B、C）の斜面図であり、図２２Dはその完成包埋ブロックの斜面図である。
【図２３】図２３は、図１、２、３の本発明のスポンジゲル製裏打ち台紙（スポンジ状ポリマーで成形した固定移送用台紙）のその他の実施形態・応用例の説明図である。図２３（IA）のスポンジゲル製裏打ち台紙配列スポンジ状ポリマーゲルマット状固定枠の収納枠内に図２３（IB）は収納嵌合して図２３（IC）は図２３（IA）の外側底部に一致して固定枠の収納枠内より広く形成されており、患者のフラグメント試料に有用である。図２３（IIA・IIB）（IIIA・IIIB）はセルブロック作製時に有用である。
【図２４】図２４は図２３のスポンジゲル製裏打ち台紙（スポンジ状ポリマーで成形した固定移送用台紙）の別の実施例である。図２０（IVB）は本発明者が既に発明出願しているTissue arrayerゲルマットの代用品として有用である。
【図２５】図２５は図１８の他の実施例の説明断面図である。図１７乃至図２２で示した生検試料とゲルスポンジマット薄切面決定基準（ポリマー１）：本薄切決定基準位置を示す説明図である。
【図２６】図２６は図２５の実施例で作製した包埋ブロックの薄切平面図である。
【図２７】図２７は図２５の実施例の手法を用いて作製した針生検試料の包埋ブロックの平面図である。
【図２８】図２８は図１８の実施例の手法を用いて作製した針生検試料の包埋ブロックの平面図である。
【図２９】図２９は図１８と図２１の包埋ブロックの薄切時の生検試料の本薄切決定基準位置を示した図である。
【図３０】図３０は図２９の薄切時の生検試料の本薄切決定基準位置を包埋ブロックの側面図上に示した図である。
【図３１】図３１は図１Hのスポンジゲル製裏打ち台紙（固定移送用台紙）の下面とスポンジゲル製裏打ち台紙配列スポンジ状ポリマーゲルマット上面とで鉗子採取生検試料を挟持して、試料の包埋定着支持剤（ポリマー２）で固定して生検試料の剥離・移動・紛失を防止している説明図である。
【図３２】図１４とは別の実施例を示す作業の一部を示した平面図である。
【図３３】図３３は本発明の他の実施例であるスポンジ状ポリマーゲル製方形底部の拡大縦断面図の一例を示した図である。
【図３４】図３４は図３３のスポンジ状ポリマーゲル製方形底部と嵌合した蓋体と包埋枠状基体とが脱着自在に嵌合して構築された所謂、固定・脱水・脱脂・透徹・包埋剤浸透工程で使用する薬液処理籠である病理・生物試料用カセットの縦断面図である。
【発明を実施するための形態】
【００４２】
上記の説明からも理解されるように、臨床側で採取された生検試料の固定不足や挫滅・形状変形・移動・紛失がなく、臨床側又は生物試料採取側での採取時のアーチファクト以外を最小限に抑えて、検体（患者・試料データと該試料）の確実な固定移送と試料データの受付・照合確認を容易で且つ確実性を高める為に、従来の紙製ではなくて該生検・細胞試料と一緒にブロック試料に包埋されて薄切用ミクロトームで薄切でき、多くの染色液に染まらないポリマーであるスポンジ状ポリマーゲルから成る固定移送用台紙と、該固定移送用台紙上の所定の位置に設置定着された該生検・細胞試料を更に移動・紛失・混入や挫滅の防止と該生検・細胞試料の形状保持の為に該固定移送用台紙同士或いは該生検・細胞試料の下部や周囲に滴下・塗布して、該生検・細胞試料を前記スポンジ状ポリマーゲルのマット状シート上或いは該ポリマーで構築したマット状構造体内に確実に固定定着させる役割のゲル化能力を持つ液状ポリマーからなる試料包埋定着支持剤との２種類の性状・機能を持つポリマー構成体からなる試料の固定移送用台紙と試料包埋定着支持剤とを用いた試料の固定移送と検体（患者・試料データと該試料）の確実な伝達と受付・照合確認できる安全且つ容易な標本作製を実現した。
【００４３】
この発明の重要な目的は、者の診断・検査の上で患者生検試料の採取と確実な生物学的固定と試料の移送の手間を簡略にして、試料の入れ間違い、混入、紛失を無くす事と、もしもミスが生じても、後日どの作業時点で生じたかの検証確認を可能にすることである。
更に生検試料の挫滅や損傷を最小限に抑えることであり、多くの患者の生検試料の移送容器を１個の容器に収納して固定移送することを可能にして移送容器のコストと医療廃棄物の削減を可能にした。
【実施例１】
【００４４】
図１、図２、図３は本発明の基本的な特徴であるスポンジ状ポリマーで成形した固定移送用台紙であるスポンジゲル製裏打ち用台紙１（ポリマー１）とスポンジゲル製裏打ち台紙配列定着移送用スポンジ状ポリマーゲルマット（ポリマー１）１bとスポンジゲル製裏打ち台紙配列用スポンジ状ポリマーゲル試料定着移送用マット嵌合固定枠（ポリマー１）１ｄの基本形状を説明している。
図１は本発明の内視鏡の鉗子で採取した生検試料２を裏打ち用台紙上に付着・固定する方法を示していて、該裏打ち用台紙１はスポンジ状ポリマーで成形した固定移送用台紙である。この時、図１のAとBとDとGとJ、K、Lの裏打ち用台紙１の形状は異なっているが、その機能性と使用方法は同じで、鉗子採取生検試料２の良好な固定を保証して、該生検試料２の挫滅・形状変形・移動・紛失を防止して、該生検試料２と一緒に固定移送容器に収納されて固定移送され、検体（患者試料とその臨床データ）の受付・照合確認から試料の切り出し・脱水・脱脂・透徹・包埋剤浸透・包埋ブロック作製・薄切切片のスライドグラスへの転写伸展・染色の全ての工程で、該生検試料２と一緒に一体的に処理できて、該生検試料２と一緒に３ミクロン程度に薄切できるが、該生検試料２とは異なり多くの染色液には染まらないスポンジ状ポリマーで成形した固定移送用台紙である裏打ち用台紙１である。
図２は本発明の針穿刺採取生検試料である針生検試料２aの採取とスポンジゲル製裏打ち台紙配列定着移送用スポンジ状ポリマーゲルマット（ポリマー１）１bの形状の裏打ち用台紙とスポンジゲル製裏打ち台紙配列定着移送用スポンジ状ポリマーゲルマット（ポリマー１）１bを嵌合収納して固定移送から標本作製工程で使用されるスポンジゲル製裏打ち台紙配列用スポンジ状ポリマーゲル試料定着移送用マット嵌合固定枠（ポリマー１）１dの使用説明図であり、このスポンジ状ポリマーゲルの機能性と使用方法は図１と同じである。
図３は本発明の内視鏡的粘膜切除術（EMR）試料２bを、該試料２bの裏打ち用台紙であるスポンジゲル製裏打ち台紙配列定着移送用スポンジ状ポリマーゲルマット（ポリマー１）１bに漿膜側を付着・固定した平面図Aと側面図Bである。このスポンジ状ポリマーゲルの機能性と使用方法は図１、図２と同じである。
前記図１の内視鏡の鉗子で採取した生検試料２の裏打ち台紙と図２の針生検試料２aの裏打ち台紙と図３の内視鏡的粘膜切除術（EMR）試料２bの裏打ち台紙とその固定移送方法と関連する検体（患者試料とその臨床データ）の受付・照合確認と関連する標本作製方法の実施例について説明図に従って以下に説明する。
【００４５】
図１Aは本発明の１実施例の斜面図であって、スポンジゲル製裏打ち用台紙（スポンジ状ポリマーで成形した固定移送用台紙）（ポリマー１）１で内視鏡の生検採取用鉗子３から鉗子採取生検試料２を採取している。図１B、D、Gはスポンジゲル製裏打ち用台紙（スポンジ状ポリマーで成形した固定移送用台紙）（ポリマー１）１の形状は異なるが同じ使用方法で、１aはスポンジゲル製裏打ち用台紙の生検試料の採取位置番号で、１hはスポンジゲル製裏打ち用台紙の折りたたみ片で、１ｆはゲルスポンジマット薄切面決定基準：本薄切決定基準位置で、４は生検採取針或いは楊枝で、８は作業者の手である。
図１Iは生検採取針或いは楊枝４で鉗子採取生検試料２を採取して図２J、Kで図１A、B、D、Gとは形状の異なるスポンジゲル製裏打ち台紙１に移し替えているか、図Lに示すようにスポンジゲル製裏打ち台紙配列定着移送用スポンジ状ポリマーゲルマット（ポリマー１）１bに形成された差し込み孔１c 内に収納付着設置しているがその使用目的と方法は殆ど変わらなく、生検試料２の良好な固定を保証して挫滅・形状変形・移動・紛失を防止できる。
【００４６】
更に、本発明は本発明者が同時出願した発明と既に出願している特許文献５と併用すると特にその威力を発揮する発明である。例えば図５A又図１１A、Bは図１Aと図１B、Cと図１D、E、Fと図１G、Hと図１I、J、K、Lのスポンジゲル製裏打ち用台紙（スポンジ状ポリマーで成形した固定移送用台紙）（ポリマー１）１に付着固定されている鉗子採取生検試料２をスポンジゲル製裏打ち台紙配列定着移送用スポンジ状ポリマーゲルマット（ポリマー１）１b（スポンジ状のクッション材）で挟持して確実に固定移送する方法であり、図５Aの独立した生物試料収納固定移送処理用多孔容器籠14は独立した保護板付き生物試料収納固定移送処理用多孔容器籠底部14aと独立した保護板付き生物試料収納固定移送処理用多孔容器籠蓋体14bとから構成されており、該保護板付き生物試料収納固定移送処理用多孔容器籠底部14aの保護板表面には患者名（試料名）記録欄が形成されていて、該患者名（試料名）記載欄を透明な合成樹脂製の独立した保護板付き生物試料収納固定移送処理用多孔容器籠蓋体14bの保護板が挟持保護できる。これは図５B、Cでも同じであるが、説明図８の収納試料は内視鏡的粘膜切除術（EMR）試料２bで異なるが、図８A、B、Cから生検試料２が独立した生物試料収納固定移送処理用多孔容器籠14の独立した保護板付き生物試料収納固定移送処理用多孔容器籠底部14aの保護板上のデータ記録蘭に患者名（試料名）が記載されて、該データ記録蘭の患者名（試料名）を透明な合成樹脂製の独立した保護板付き生物試料収納固定移送処理用多孔容器籠蓋体14bの保護板が挟持保護していることが理解される。生検試料が前記スポンジゲル製裏打ち用台紙（スポンジ状ポリマーで成形した固定移送用台紙）（ポリマー１）１に付着固定されて患者名（試料名）が記載された該独立した生物試料収納固定移送処理用多孔容器籠14内に収納されて、図８のCの専用の固定移送容器内に入れて固定移送される（図８C、図９A、B、C）と確実な検体（患者・試料データと該試料）の固定移送と伝達・連結ができ受付・照合確認が完了する。
【００４７】
何故ならば、生検試料２は生検試料の採取位置番号１aの付された前記スポンジゲル製裏打ち用台紙（スポンジ状ポリマーで成形した固定移送用台紙）（ポリマー１）１と共に患者名（試料名）が記された独立した生物試料収納固定移送処理用多孔容器籠14に収納されて、図８と図９の固定移送容器７内に収納されて固定液６で固定移送される。該固定移送容器７の底部には図８Cと図９A、Cに示すように前記生物試料収納固定移送処理用多孔容器籠14が脱着自在に嵌合・連結して従来の病理・生物試料用カセットと同じ機能形態になる包埋枠状基体９が嵌合・設置されている。
【００４８】
該包埋枠状基体９は固定移送容器７と一緒に臨床・生物試料採取側に送られ、また前記スポンジゲル製裏打ち用台紙（スポンジ状ポリマーで成形した固定移送用台紙）（ポリマー１）１に前記生検試料２を付着固定して一体化されたスポンジゲル製裏打ち用台紙１と生検試料２が前記患者名（試料名）が記された独立した生物試料収納固定移送処理用多孔容器籠14に収納されて該固定移送容器７に収納されて固定移送返送されてくる。この時の固定移送容器７には臨床側で患者属性を記載されたラベルが貼られており、該固定移送容器７内には患者名（試料名）が記載された独立した生物試料収納固定移送処理用多孔容器籠14が収納されている。更に、該固定移送容器７の底部には該患者名（試料名）が記載された独立した生物試料収納固定移送処理用多孔容器籠14と脱着自在に嵌合・連結一体化して従来の病理・生物試料用カセットと同じ機能形態になる包埋枠状基体９が嵌合・設置されている。更に、該包埋枠状基体９にはICチップ（RFID）20の設置部が設けられており、将来の患者データのデジタル電子化に向けた準備も成されている。
患者検体（患者・試料データと該試料）の事務的な受付と切り出し時の照合確認時に該固定移送容器７内の試料が収納設置されている独立した生物試料収納固定移送処理用多孔容器籠14を該固定移送容器７から取り出し、該独立した生物試料収納固定移送処理用多孔容器籠14の保護板付き生物試料収納固定移送処理用多孔容器籠底部14aの保護板上のデータ記録蘭の患者名（試料名）と収納されている生検試料２を確認の上、該データ記録蘭の患者名（試料名）の上に標本作製側の該患者病理データと連結している試料番号１９bとその二次元データコード或いはバーコード１９aが印字されているデータラベル１９を貼り付けてから再度透明な合成樹脂製の独立した保護板付き生物試料収納固定移送処理用多孔容器籠蓋体14bを閉じて、スポンジゲル製裏打ち用台紙（スポンジ状ポリマーで成形した固定移送用台紙）（ポリマー１）１で裏打ちされている該生検試料２と該生検試料２の患者名（試料名）の上に貼り付けられたデータラベル１９を透明な生物試料収納固定移送処理用多孔容器籠蓋体14bの保護板で挟持・保護して、脱水・脱脂・透徹・浸透液浸透の薬液処理工程に入る。この時点で該包埋枠状基体９を該独立した生物試料収納固定移送処理用多孔容器籠14とを嵌合・連結させるか、又は包埋ブロック作製時の包埋作業時に嵌合・連結させるかはその作業従事者の判断に任せて良い（図１３A、Bと図１４A、B）。勿論、図６Bや図１１Aや図１９Aにも示すように前記スポンジゲル製裏打ち台紙配列定着移送用スポンジ状ポリマーゲルマット（ポリマー１）1bやスポンジゲル製裏打ち台紙配列用スポンジ状ポリマーゲル試料定着移送用マット嵌合固定枠（ポリマー１）1dには患者名（試料名）の記載ができるように成っている。
【００４９】
また、前記スポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）で生検試料２を固定移送するに於いて、該生検試料２の挫滅・形状変形・移動・紛失を確実に防止する図５A以外の方法は、
図５B、Cの前記スポンジゲル製裏打ち台紙１と前記生物試料収納固定移送処理用多孔容器籠底部14aのスポンジゲル製裏打ち台紙挿入小部屋１４ｆの多孔底部とで挟持固定する方法と、
図５Dの固定液の振動の少ない狭い固定槽で固定移送するか、
図６A、Bのスポンジゲル製裏打ち台紙配列定着移送用スポンジ状ポリマーゲルマット（ポリマー１）１bのスポンジゲル製裏打ち台紙用配列差し込み孔１c内壁に生検試料２を付着固定するか、
或いは図１３A、Bの様に前記スポンジゲル製裏打ち台紙１と前記生物試料収納固定移送処理用多孔容器籠底部14aのスポンジゲル製裏打ち台紙挿入小部屋１４ｆの側壁とで挟持固定する方法と
図２０A、Bは図１の様式で生検試料２をスポンジゲル製裏打ち台紙（スポンジ状ポリマーで成形した固定移送用台紙）１の図１１のV字谷溝に生検試料２を付着固定して採取した場合、該Ｖ字谷に跨る形状に鉗子採取生検試料２が接着固定するとＶ字の最深底部を通る該生検試料２の割面は最大割面になるのでそのＶ字最深底部を一列に並べて生検試料２が付着固定されているスポンジゲル製裏打ち台紙（スポンジ状ポリマーで成形した固定移送用台紙）１ごと一緒に纏めてHold Jell（包埋定着支持剤）１５aで包埋定着支持したものである。この生検試料２のＶ字谷収納包埋方法は図２５のＶ字状構造の２傾斜面の中の生検試料２をHold Jell（包埋定着支持剤）１５aで定着支持した構造と同じであり、この方式で図２６、図２７で示された包埋ブロックは作製されている。
図３２の様にスポンジゲル製裏打ち台紙挿入小部屋１４ｆに代わるスポンジゲル製裏打ち台紙用配列差し込み孔１ｃをスポンジゲル製裏打ち台紙配列定着移送用スポンジ状ポリマーゲルマット（ポリマー１）１bに形成して、該差し込み孔１ｃに生検試料２を付着固定したスポンジゲル製裏打ち台紙を差し込み嵌合して該スポンジゲル製裏打ち台紙１と生物試料収納固定移送処理用多孔容器籠１４の多孔面との間で該生検試料２を挟持固定する方法か、
図３１の様に該生検試料２ごと該固定移送用裏打ち用台紙１と同素材のブロック試料に包埋されて薄切用ミクロトームで薄切できるスポンジ状ポリマーから成る試料定着移送用マット１ｂ上にHold Jell（包埋定着支持剤）１５と凝固剤１６とで凝固ゲル化した試料の包埋定着支持剤（ポリマー２）１５aで固定移送用裏打ち用台紙１と試料定着移送用マット１ｂの間に該生検試料２を挟持して固定する。この時、凝固ゲル化したゲル化した試料の包埋定着支持剤（ポリマー２）１５aは該生検試料２に直接に触れないようにして固定することが望ましい。
図１６A、B、Cと図１７A、Bと図１８A、B、Cと図２１に示すように、生検試料２が付着固定しているスポンジゲル製裏打ち台紙１b面とその周囲を囲む前記スポンジゲル製裏打ち台紙配列用スポンジ状ポリマーゲル試料定着移送用マット嵌合固定枠（ポリマー１）1dの中に該生検試料２を収納固定する方法とがある。
この時、図３１と同様に包埋定着支持剤１５a（ポリマー２）で定着固定することが考えられるが、該生検試料２を直接に該包埋定着支持剤１５a（ポリマー２）で定着固定する方法（図１８、図２８）と該生検試料２が付着固定されていないスポンジゲル製裏打ち台紙１bの裏面にゲル化能力を持つ液状ポリマー１５と凝固剤１６からなる試料の包埋定着支持剤１５a（ポリマー２）を流し込みスポンジ状ポリマーゲル同士を接着固定する方法（図１７と図２９、図３０）があるが私はこのポリマーゲル同士を接着固定を推奨する。勿論前記包埋定着支持剤として本発明者が既に発明出願している特許文献４のグルコマンナン修飾誘導体である酸化グルコマンナンエステル化物からなる包埋定着支持剤も使用できることは無論のことである。１ｆは本薄切面決定基準位置である。
【００５０】
また、図１５のA、Bで示すスポンジゲル製裏打ち用台紙１はスポンジゲル製裏打ち台紙後部端面１i、スポンジゲル製裏打ち用台紙薄切面決定基準調製後部端面１ｊ、スポンジゲル製裏打ち台紙薄切面決定基準調製後部前面１ｋ、とで生検試料の大きさ：直径によっての包埋時の生検試料２の薄切時の生検試料の最大割面である本薄切決定基準位置：ゲルスポンジマット薄切面決定基準１ｆを決定するスポンジゲル製裏打ち台紙である。
【００５１】
図１４は前記図１３のＡ、Ｂで固定移送されてきた生検試料２が付着・固定しているスポンジゲル製裏打ち台紙１をそのまま生検試料２側を前記生物試料収納固定移送処理用多孔容器籠底部14aの窓口から包埋皿底部に挿入設置（図１４Ａ）して包埋ブロック（図１４Ｂ縦断面図）を作製したところである。
【００５２】
図２の針生検試料２aは図７、図２１、図２７、図２９、図３０に図示されている。先ず、図２A、B、Cの針生検試料２aの採取固定移送には、針穿刺生検採取器１８aから直接に針生検２aを針生検用のスポンジゲル製裏打ち台紙１bに押しだし付着して固定する。該針生検用のスポンジゲル製裏打ち台紙１bには採取された針生検試料２aの表皮側と深部側とを目視できる方向決定基準１ｇが成形されている。該針生検試料２aの付着固定されたスポンジゲル製裏打ち台紙１bを図５Aの様に固定移送しても良いが、図２Bではスポンジゲル製裏打ち台紙配列用スポンジ状ポリマーゲル試料定着移送用マット嵌合固定枠（ポリマー１）1dにスポンジゲル製裏打ち台紙用配列差し込み孔１ｃを設けて、該差し込み孔１ｃに該針生検試料２aの付着固定されたスポンジゲル製裏打ち台紙１bを挿入嵌合して固定移送（図７）している。この時、スポンジゲル製裏打ち台紙配列用スポンジ状ポリマーゲル試料定着移送用マット嵌合固定枠（ポリマー１）1dにも方向決定基準１ｇが成形されているので、図７のデータ記録部と保護板付き独立した生物試料収納固定移送処理用多孔容器籠１４と一緒に固定移送容器に収納して、標本作製現場側に移送後、包埋ブロック作製と薄切・標本作製工程に進むことができる。
この際図２１に示す様に該針生検試料２aの付着固定されたスポンジゲル製裏打ち台紙１bの該針生検試料２aが付着固定されていない台紙後部側にゲル化能力を持つ液状ポリマー１５と凝固剤１６からなる試料の包埋定着支持剤１５a（ポリマー２）を流し込みスポンジ状ポリマーゲル同士を接着固定すると、図２１からも理解されるように該針生検２aは該スポンジゲル製裏打ち台紙１bに付着固定している該スポンジゲル製裏打ち台紙１b面とその周囲を囲む前記スポンジゲル製裏打ち台紙配列用スポンジ状ポリマーゲル試料定着移送用マット嵌合固定枠（ポリマー１）1dの中に収納されており、該針生検試料２aを納めている該スポンジゲル製裏打ち台紙１bに付着固定している該スポンジゲル製裏打ち台紙１b面とその周囲を囲む前記スポンジゲル製裏打ち台紙配列用スポンジ状ポリマーゲル試料定着移送用マット嵌合固定枠（ポリマー１）1dを試料の包埋定着支持剤１５a（ポリマー２）で接着固定した該針生検試料２aを図７に示すように生物試料収納固定移送処理用多孔容器籠１４に収納すれば、該針生検２aは完全にその場所に固定されて挫滅・移動・紛失することなく、固定移送から検体の受付・照合確認と切り出し作業後の脱水・脱脂・透徹・包埋剤浸透・包埋作業・薄切・標本作製の一貫した作業工程に乗せることができる。（図２７、図２９、図３０）即ち、固定移送方法と検体（患者・試料データと該試料）の固定移送と伝達・連結ができ受付・照合確認と標本作製工程は鉗子生検試料２の方法と同じである。
【００５３】
図３の内視鏡的粘膜切除術（EMR）試料２bの固定移送方法と検体（患者・試料データと該試料）の固定移送と伝達・連結ができ受付・照合確認と標本作製工程の取り扱いは鉗子生検試料２の方法と殆ど同じで、図８Ａ、Ｂ、Ｃと図９Ａ、Ｂ、Ｃ、Ｄ、Ｅ、Ｆ、Ｇと図１０Ａ、Ｂと図１２と図２２Ａ、Ｂ、Ｃ、Ｄとに図示している。先ず、内視鏡的粘膜切除術（EMR）試料２bの図３A、Bと図８A、B、Cと図９A、B、C、D、E、F、Gと図１２からも理解される様に内視鏡的粘膜切除術（EMR）試料２bの固定移送から図２２A、B、C、Dに示すように受付・照合確認・切り出し・薬液処理・包埋ブロック作製と標本作製工程に於いて、スポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）とゲル化能力を持つ液状ポリマー１５と凝固剤16からなる試料の包埋定着支持剤１５a（ポリマー２）の２種類のポリマーゲルで構成されている生検・細胞試料用包埋定着支持方法は、試料の良好な固定と挫滅・変形・移動・紛失のない安全な試料の固定移送と標本作製を保証している。
更に図２２A、B、C、Dからも理解されるように辺縁が歪で不整形な内視鏡的粘膜切除術（EMR）試料２bの切り出しと切り出しトリミングされた切り出し面を立てて包埋する作業ご容易にしている。この図２２Ｂのこの切り出し時にスポンジゲル製裏打ち台紙配列定着移送用スポンジ状ポリマーゲルマット（ポリマー１）１bの存在によって辺縁が歪で不整形な内視鏡的粘膜切除術（EMR）試料２bの切り出しトリミング試料片が複数に散けることを防ぐ働きをしている。この時ゲル化能力を持つ液状ポリマー１５と凝固剤16からなる試料の包埋定着支持剤１５a（ポリマー２）を使用するとより内視鏡的粘膜切除術（EMR）試料２bの形状維持効果は高まるが必ずしも必要ではない。またスポンジゲル製裏打ち台紙配列用スポンジ状ポリマーゲル試料定着移送用マット嵌合固定枠（ポリマー１）1dは使用せずにスポンジゲル製裏打ち台紙配列定着移送用スポンジ状ポリマーゲルマット（ポリマー１）１bのみ使用して該定着移送用スポンジ状ポリマーゲルマット（ポリマー１）１bの表面に該内視鏡的粘膜切除術（EMR）試料２bの漿膜側を付着固定して固定移送と切り出し・標本作製作業をしても良い。
【００５４】
また、図１０のAとBに示す様に事前にバーコード（二次元データコード）の２重ラベルを作って、包埋枠状基体と固定移送容器と病理検査依頼書に臨床側で貼り付けて検査依頼をする方法も考えられる。
【００５５】
図２３に示す様にIAとIBは前記説明の種々試料の鉗子生検試料２や針生検試料２aや内視鏡的粘膜切除術（EMR）試料２bに対応する形状であるが、IAとICやIIAとその断面IIBやIIIAとその断面IIIBは細胞標本（セルブロック）標本作製に便利である。この図２３のIIICの左側に図示したように直径１cm程の差し込み孔1cを形成した試料定着移送用マット嵌合固定枠（ポリマー１）1dと該嵌合固定枠（ポリマー１）1dの外形形状の該定着移送用スポンジ状ポリマーゲルマット（ポリマー１）１bとで成形されていて、該ポリマーゲルは互いに接着して差し込み孔1cの開口部を塞ぐことができる。この時、例えば差し込み孔1cに細胞集塊を収納して上から包埋定着支持剤１５a或いは本発明者が既に発明出願している特許文献４のグルコマンナン修飾誘導体である酸化グルコマンナンエステル化物からなる包埋定着支持剤で細胞集塊を細胞同士互いに接着保持して纏めることも出来るが、図２３からも理解されるように差し込み孔1cの上側開口部も前記外形形状の該定着移送用スポンジ状ポリマーゲルマット（ポリマー１）１bで塞ぐと、該差し込み孔1c内の細胞集塊は前記包埋定着支持剤１５a等の包埋挟持によるアーチファクトの無いセルブロック標本が作製できる。該定着移送用スポンジ状ポリマーゲルマット（ポリマー１）１bと該嵌合固定枠（ポリマー１）1dは予め他の接着剤で接着することもできるが、このスポンジ状ポリマーゲル同士の接着にも包埋定着支持剤１５a或いは本発明者が既に発明出願している特許文献４のグルコマンナン修飾誘導体である酸化グルコマンナンエステル化物からなる包埋定着支持剤で接着することができる。
【００５６】
また、包埋定着支持剤１５aは一部前述しているが生検試料の固定・移送時に確実か且つ良好な生物学的固定を保証する為に試料と一緒に薄切可能なスポンジ状ポリマーゲルマット上に該生検試料を設置定着して移送し、その後試料の薬液処理時の前記スポンジ状ポリマーゲルマット状シート上に生体内の浸出液の固化力で貼り付けられた生検試料の入れ替わり、混入、移動を確実に防止する為に該生検試料と該スポンジ状ポリマーゲルマット状シート製の裏打ち台紙との間或いは該スポンジ状ポリマーゲルマット同士を定着・接着する天然の食物繊維からなる包埋定着支持剤１５aを試料接着剤として使用できることは、図１６、図１７、図１８、図２１、図２２、図２３や図３３のA、B、Cと図３４A、B、C、D、Eにも示している。
従来の病理組織試料用処理籠である従来の所謂病理試料用カセット等の使用時に出る、所謂環境破壊の一要素になる生分解しないプラスチックで成形されている蓋部やその他の医療廃棄物を最小限に抑え、且つ試料の挫滅や混入、紛失を無くすために為に所謂試料の固定移送用マット状シート製裏打ち用台紙を該病理組織試料用処理籠である従来の所謂病理試料用カセットの多孔底部をも兼任できる方形容器構造に形成して該病理組織試料用処理籠の一部構造体にする時の、スポンジ状ポリマーゲルマットからなる底部と周囲の側壁同士の接着剤としてゲル化能力を持つ液状ポリマー１５と凝固剤１６からなる試料の包埋定着支持剤１５a（ポリマー２）と本発明者が既に発明出願している特許文献４のグルコマンナン修飾誘導体である酸化グルコマンナンエステル化物からなる包埋定着支持剤とが使用できる。
【００５７】
図２４のIA、IB、ICとIIA、IIB、IICは、前述したように生検試料２の固定移送用のスポンジゲル製裏打ち台紙１や該生検試料用定着移送用スポンジ状ポリマーゲルマット（ポリマー１）１bとしても使用できるが、図２４IIIBを含む前記差し込み孔1cが複数開口している生検試料用定着移送用スポンジ状ポリマーゲルマット（ポリマー１）１bはTissue arrayer２２を構築するゲルマットとして直ぐに使用でき、また図２４のIA、IB、ICとIIA、IIB、IICを図２３の様に定着移送用スポンジ状ポリマーゲルマット（ポリマー１）１bと複数の差し込み孔1cを形成した試料定着移送用マット嵌合固定枠（ポリマー１）1dとして使用するとTissue arrayer ２２としてのではなく細胞用のCell block arrayer ゲルマットとして使用できる。
【００５８】
故に、図３３Ａのスポンジ状ポリマーゲル製方形底部１ｌはスポンジ状ポリマーゲルマットからなる底部と周囲の側壁同士の接着剤としてゲル化能力を持つ液状ポリマー１５と凝固剤１６からなる試料の包埋定着支持剤１５a（ポリマー２）或いは本発明者が既に発明出願している特許文献４のグルコマンナン修飾誘導体である酸化グルコマンナンエステル化物からなる包埋定着支持剤を使用して、前記図２３のスポンジゲル製裏打ち台紙配列用スポンジ状ポリマーゲル試料定着移送用マット嵌合固定枠（ポリマー１）1dとスポンジゲル製裏打ち台紙配列定着移送用スポンジ状ポリマーゲルマット（ポリマー１）1b或いは図２４のIA、IB、ICとIIA、IIB、IICの発明からスポンジ状ポリマーゲル製方形底部１ｌが出来上がっている。この時勿論、図３３B、Cに示した様にスポンジ状ポリマーゲル製方形底部１ｌを一体的に成形しても良い。
【実施例２】
【００５９】
前記スポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）は
説明図１、図５、図１１、図１３、図１５、図１６、図１７、図１８、図１９、図２０、図２５、図２９、図３１、図３２に示したスポンジゲル製裏打ち用台紙（スポンジ状ポリマーで成形した固定移送用台紙）（ポリマー１）１と説明図１、図２、図３、図５、図６、図７、図８、図９、図１１、図１８、図１９、図２１、図２２、図２３、図２４、図２９、図３１、図３２に示したスポンジゲル製裏打ち台紙配列定着移送用スポンジ状ポリマーゲルマット（ポリマー１）１bと説明図２、図６、図７、図１１、図１６、図１７、図１９、図２０、図２１、図２２、図２３、図２９に示したスポンジゲル製裏打ち台紙配列用スポンジ状ポリマーゲル試料定着移送用マット嵌合固定枠（ポリマー１）１dとを基本機能形態のスポンジ状ポリマーゲルマット成形構成体（ポリマー１）としていて、
該スポンジ状ポリマーゲルマット成形構成体（ポリマー１）には説明図１、図５、図１１、図１３、図１５のスポンジゲル製裏打ち用台紙の生検試料の採取位置番号１aと説明図１、図２、図１６、図１９、図２３、図２４、図３２のスポンジゲル製裏打ち台紙配列差し込み孔１ｃと説明図６、図１１のスポンジゲル製裏打ち台紙配列用スポンジ状ポリマーゲル試料定着移送用マット嵌合固定枠の嵌合内壁１eと説明図６、図１５、図１７、図１８、図１９、図２０、図２１、図２５、図２６、図２７、図２８、図２９、図３０のスポンジゲルマット薄切面決定基準：本薄切決定基準位置１ｆと説明図２、図６、図７、図１１、図１６、図１８、図１９、図２０、図２２、図２３、図２４、図３１、図３２のスポンジゲル製裏打ち用台紙（スポンジ状ポリマーで成形した固定移送用台紙）の方向決定基準１ｇと説明図１のスポンジゲル製裏打ち用台紙の折りたたみ片１ｈと説明図１、図１１のV字溝１ｑと説明図６、図１１、図１６、図１９、図２２、図３０のスポンジ状ポリマーゲルマット状固定枠上の患者名（試料名）１１の記載機能を付加することができるスポンジ状ポリマーゲルマット成形構成体（ポリマー１）である。
【００６０】
前記スポンジ状ポリマーゲルマット成形構成体（ポリマー１）の基本的機能性は、１）スポンジ状で多孔性・通液性であること。２）多くの有機溶媒に難溶解性であること。３）生物試料と一緒に薄切できること。４）多くの染色液に染まらないことである。
この基本的条件に叶う人工合成樹脂は生分解樹脂であるポリビニルアルコールにアルデヒドを反応させてアセタール化したポリビニルホルマール製、またはゼラチンを付加したポリビニルアルコール製、またはウレタン樹脂製等の化学合成系生分解性プラスチックであった。これら特にポリビニルホルマール樹脂で該スポンジ状ポリマーゲルマット成形構成体（ポリマー１）を成形して、スポンジゲル製裏打ち用台紙（スポンジ状ポリマーで成形した固定移送用台紙）（ポリマー１）１を用いて前記生検試料２の裏打ち用台紙として使用すると、該スポンジゲル製裏打ち用台紙（スポンジ状ポリマーで成形した固定移送用台紙）（ポリマー１）１は生物試料である該生検試料２と一緒に薬液処理され包埋剤で包埋されて３ミクロン前後の厚さに生物試料と一緒に薄切出来、これら化学合成系生分解性プラスチックは多くの色素性試薬（例えば、HE染色やPAS染色やアルシアンブルー染色等）に、若干共染するが殆ど染まらずに組織との選別がはっきり区別できる。即ちスポンジ状ポリマーゲルマットからなるスポンジゲル製裏打ち台紙（スポンジ状ポリマーで成形した固定移送用台紙）１を代表とするスポンジ状ポリマーゲルマット成形構成体（ポリマー１）はポリビニルアルコールにアルデヒドを反応させてアセタール化したポリビニルホルマール製、またはゼラチンを付加したポリビニルアルコール製、またはウレタン樹脂製等の化学合成系生分解性プラスチックで成形できる。
【００６１】
また、ポリビニルアルコールは水溶性で試料と一緒に包埋して３〜５ミクロンで薄切して染色すると標本上に汚く拡散してPAS染色に染まってしまうが、予め薄いゼラチン溶液（１％以下）中にポリビニルアルコール製のスポンジ状ポリマーゲルマット状シートを浸漬して乾燥しておくとホルマリン水溶液でゼラチンが不溶性となり、薄切・染色時に汚く拡散しないので良いスポンジ状ポリマーゲルマット状シート製の裏打ち台紙１となる。しかし余り高濃度のゼラチン水溶液中に浸漬すると薄切が出来なくなり、多くの染色液で共染する。
【００６２】
更にまた、前記スポンジ状ポリマーゲルマットからなるスポンジゲル製裏打ち台紙 １とスポンジゲル製裏打ち台紙配列スポンジ状ポリマーゲルマット１ｂは、寒天、カードラン、ジェランガム等のゲルを形成する天然食物繊維が素材のゲルでスポンジゲル（スポンジ状ポリマーゲルマット或いはシート）で成形できる。該スポンジ状ポリマーゲルマットからなるスポンジゲル製裏打ち台紙 １とスポンジゲル製裏打ち台紙配列スポンジ状ポリマーゲルマット１ｂは３ ミクロン前後の厚さに生物試料２と一緒に薄切出来、該天然食物繊維が素材であるスポンジゲル（スポンジ状ポリマーゲルマット或いはシート）は多くの色素性試薬（例えば、HE染色やPAS染色やアルシアンブルー染色等）に、若干共染するが組織との選別がはっきりと区別できる。
【００６３】
このとき、寒天によるゲルスポンジは、寒天を蒸留水で加熱沸騰溶解させた寒天水溶液を低温凝固ゲル化させ、更に冷温凍結させると離漿して水が寒天ゲルから分離して多孔性のスポンジ状のゲル化物ができる。該ゲルを更に適度に水分を残して保存するとスポンジ状ポリマーゲルマット或いはシートであるスポンジゲル製裏打ち台紙 １、スポンジゲル製裏打ち台紙配列スポンジ状ポリマーゲルマット状シート １ｂ、が製造される。また寒天ゲルは本来多孔性のゲルであり、冷温凍結工程を省いても離漿するので防腐剤添加後水分を適度に残してスポンジゲルを製造しても良い。但し寒天ゲルの乾燥は不織紙等で挟み抑えて余分の水分を均等に吸い取り、ゲルの弾力を残し直角に曲げても折れない程度で止めて保存する。該寒天水溶液の濃度は１〜５％(W/W％)水溶液（１００ ml に対して１〜５ g ）が最適と思われる。また、防腐剤にはホルマリンの他、チモール、オイゲノール、シナモン、カテキン等の香辛料を使用すると良い。またスポンジゲルをターメリック、サフラン、パプリカ等の香辛料で着色するのも便利である。
【００６４】
カードランは熱ゲル化性多糖類で、カードランのゲル形成性は、カードランの水分散液を加熱すると約５０度で膨潤して粘度が上昇し、さらに加熱するとゲルを形成し、カードランゲルには熱可逆性のローセットゲルと熱不可逆性のハイセットゲルの２つのタイプがある。ローセットゲルはカードランの水分散液を約５５〜６５度に加熱して常温以下に冷却すると熱可逆性ゲルが形成され、再び約６０度に加熱すると元の分散状態に戻り、そのまま加熱を続けて約８０度以上になると熱不可逆性のハイセットゲルになる。ハイセットゲルはカードランの水分散液を約８０度以上に加熱したときに形成される熱不可逆性のゲルで、温度変化に対して安定する。特に１３０℃付近まで加熱するにつれてゲル強度は上昇し続け、そのゲル強度はカードラン濃度にほぼ比例して上昇する。
【００６５】
このハイセットゲルを前記寒天ゲル同様に不織紙等で挟み水分を吸引して均等に乾燥させてスポンジ状ポリマーゲルマット或いはシートであるスポンジゲル製裏打ち台紙１とスポンジゲル製裏打ち台紙配列スポンジ状ポリマーゲルマット１ｂを製造する。カードランの水分散液濃度は１〜５％(W/W％)水溶液（１００ ml に対して１〜５ g ）が最適で、また、防腐剤にはホルマリンの他、チモール、オイゲノール、シナモン、カテキン等の香辛料を使用すると良い。またスポンジゲルをターメリック、サフラン、パプリカ等の香辛料で着色するのも便利である。
【００６６】
ジェランガムはゲル化性の多糖類である。弾力性のあるゲルをつくるグルコース、グルクロン酸、ラムノースが２：１：１の割合で構成される四つの糖を反復単位とする多糖類であり、分子量は約１００〜２００万の非常に透明性に優れたゲルを作る。ゲル化には１価または２価のカチオンが必要で、その添加量によってゲルの性質は異なる。カチオンの中ではカルシウムの効果が最も強く現れる。そしてカルシウムイオンを約０．０２％添加するとゲルの融点が１００度よりも高くなり、耐熱性のゲルができる。耐酸性に優れていて、pHを３．５前後に下げることによってもゲル化させることができる。
【００６７】
ジェランガムは脱アシル型とネイティブ型ジェランガムとがあり、脱アシル型ジェランガムはカチオンによるゲル化力が強く、一価、二価カチオン（例えば塩化カリウム、塩化ナトリウムや塩化カルシウムや乳酸カルシウム等）でゲル化する。一方ネイティブ型ジェランガムはカチオンの種類や濃度での影響は余り受けない。また、脱アシル型ジェランガムはカチオンでの影響を受けやすいため、ｐHを下げるだけでゲル化する。ｐH ３．５付近でゲル化強度が最高になる。一方ネイティブ型ジェランガムはｐHの影響は殆ど受けない。冷却のみでゲル化して、高温にも強く、離漿も少ないので冷凍凍結による形状変化の影響も少ない弾力のあるゲルを作製する。
このジェランガムから製造されるスポンジゲル（スポンジ状ポリマーゲルマット或いはシート）を作製すると非常に有効な裏打ち台紙が得られる。溶液濃度は０．５〜２％(W/W％) （１００ ml に対して０．５〜２ g 程度）が最適と思われる。また、防腐剤にはホルマリンの他、チモール、オイゲノール、シナモン、カテキン等の香辛料を使用すると良い。またスポンジゲルをターメリック、サフラン、パプリカ等の香辛料で着色するのも便利である。
【００６８】
また、前記液状の試料定着剤（ポリマー２）１５aは、ジェランガム、アルギン酸、ペクチンを代表とする１価または多価のカチオンによってゲルを形成する天然食物繊維の水溶液から製造する。特にジェランガムをHold Jell（包埋支持剤）１５として単独でゲル化させるとホルマリンにも溶解しないゲルが形成され、前記スポンジ状ポリマーゲルマット成形構成体（ポリマー１）同士の接着・固定には有用である。しかし染色液には共染する傾向が強い。
【００６９】
また、前記液状の試料定着剤（ポリマー２）１５aは、ジェランガム、アルギン酸、ペクチンを代表とする１価または多価のカチオンによってゲルを形成する天然食物繊維と寒天、カードラン等の溶液の温度変化でゲルを形成して、その溶解濃度でゲル化温度が変化する天然食物繊維を常温ではゲルを形成しない濃度で増粘剤として使用して溶液内ポリマーの均等分布と粘度を調製した水溶液から製造する。これはジェランガム、アルギン酸、ペクチン等の染色液に対する共染性を抑える為であり、Hold Jell（包埋支持剤）１５としてゲル化させてホルマリンにも溶解しないゲルを形成する為である。
【００７０】
また、Hold Jell（包埋支持剤）１５は主に２価のカチオン０．１〜５％（例えば塩化カルシウム或いは乳酸カルシウム）の添加に因ってゲル状形状である試料定着剤（ポリマー２）１５aを形成するので、２価カチオン０．１〜５％水溶液を凝固剤（ゲル化剤）１６として使用できる。
【００７１】
また、ジェランガムを前記Hold Jell（包埋支持剤）１５のゲル化の主成分として使用する場合はその濃度は０．３〜０．５％で、その他の増粘剤として天然食物繊維（０．３〜０．５％）で溶液内ポリマーの均等分布と粘度を調製した水溶液を製造する。
【００７２】
また、前記増粘剤として濃度の低い寒天やカードラン等の存在はゲル化温度を３７℃前後ではゲル化しない様に濃度調製すると非常に有用である。
【００７３】
また、前記生検・細胞試料を前記スポンジ状ポリマーゲルマット成形構成体（ポリマー１）であるスポンジゲル製裏打ち台紙（スポンジ状ポリマーで成形した固定移送用台紙）１或いはスポンジゲル製裏打ち台紙配列スポンジ状ポリマーゲルマット１ｂの所定の位置に設置し付着・固定された試料を更に移動・紛失・混入や挫滅の防止と該生検・細胞試料の形状保持の為に、該スポンジ状ポリマーゲルマット同士或いは該生・細胞検試料の下部や周囲に滴下・塗布して、該生検・細胞試料を一緒にブロック試料に包埋して薄切用ミクロトームで薄切できるポリマーである該固定移送用スポンジ状ポリマーマット状シート上或いはポリマーで構築した構造体内に確実に固定定着させる役割のゲル化能力を持つ液状ポリマーからなる試料定着支持剤はグルコマンナンを酸化剤で酸化した酸化グルコマンナンのアセチルエステル化物或いは酸化グルコマンナンのアルコール系とのエステル化物をアルコール又はアルコールホルマリン溶液で凝固・ゲル化させる試料包埋定着支持剤でも実施できる。
【００７４】
即ち、本発明は前記スポンジゲル製裏打ち台紙（スポンジ状ポリマーで成形した固定移送用台紙）１（ポリマー１）を代表としたスポンジ状ポリマーゲルマット成形構成体（ポリマー１）はスポンジゲル製裏打ち台紙配列定着移送用スポンジ状ポリマーゲルマット（ポリマー１）１bとスポンジゲル製裏打ち台紙配列用スポンジ状ポリマーゲル試料定着移送用マット嵌合固定枠（ポリマー１）１dとの基本機能形態構成体とHold Jell（包埋支持剤）１５と凝固剤１６から成る試料定着剤（ポリマー２）１５aとの機能合体の発明であり、病理・生物用カセット特に本発明者が同時出願した発明と既に出願している特許文献５と併用する事により、患者の生検試料の固定移送容器を１個の容器に収納して固定移送することを可能にして固定移送容器のコス
1l
トと医療廃棄物の削減が可能にして、検体の受付・照合の自動化と正確性を高める患者データの確実な伝達・連結を保証して、患者生検や生物試料の診断・検査の上で試料の採取・固定移送の手間を簡略にして、尚かつ試料の入れ間違い混入紛失を無くし、もしもミスが生じても後日どの作業時点で生じたかの検証確認を可能にし、試料の挫滅は最小限にして標本作製の薄切作業の自動化を可能にする、従来の試料裏打ち紙製台紙ではない試料と一緒にブロック試料に包埋されて薄切用ミクロトームで薄切できる生分解性スポンジ状ポリマーで成形した試料の固定移送用スポンジゲル製裏打ち台紙（ポリマー２）と生分解性試料定着剤（ポリマー２）である。
【符号の説明】
【００７５】
1：スポンジゲル製裏打ち用台紙（スポンジ状ポリマーで成形した固定移送用台紙）（ポリマー１）
1a：スポンジゲル製裏打ち用台紙の生検試料の採取位置番号
1b：スポンジゲル製裏打ち台紙配列定着移送用スポンジ状ポリマーゲルマット（ポリマー１）
1c：スポンジゲル製裏打ち台紙用配列差し込み孔
1d：スポンジゲル製裏打ち台紙配列用スポンジ状ポリマーゲル試料定着移送用マット嵌合固定枠（ポリマー１）
1e：スポンジゲル製裏打ち台紙配列用スポンジ状ポリマーゲル試料定着移送用マット嵌合固定枠の嵌合内壁
1f：スポンジゲルマット薄切面決定基準：本薄切決定基準位置
1g：スポンジゲル製裏打ち用台紙（スポンジ状ポリマーで成形した固定移送用台紙）の方向決定基準
1h：スポンジゲル製裏打ち用台紙の折りたたみ片
1i：スポンジゲル製裏打ち用台紙後部端面
1j：スポンジゲル製裏打ち用台紙薄切面決定基準調製後の後部端面
1k：スポンジゲル製裏打ち用台紙薄切面決定基準調製後の前端面
1l：スポンジ状ポリマーゲル製方形底部
1m：スポンジ状ポリマーゲル製方形底部形成多孔
1n：スポンジ状ポリマーゲル製方形閉鎖底部
1p：カセット多孔蓋部との嵌合部
1q：スポンジゲル製裏打ち用台紙（スポンジ状ポリマーで成形した固定移送用台紙）（ポリマー１）のV字谷溝
2：生検試料
2a：針生検
2b：EMR（内視鏡的粘膜切除試料）
3：内視鏡の鉗子
4：生検採取針或いは楊枝
5：鉛筆
6：固定液
7：固定移送容器
7a：固定移送容器蓋
7b：固定移送容器底部 
7c：固定移送容器底部に成形された包埋枠状基体嵌合支持部
7d：固定移送容器の蓋部の水漏れ防止リブ
7e：固定移送容器蓋用嵌合ネジスクリュウ
7f：固定移送容器底部の袴部
7g：固定移送容器の二重ラベル貼り付けガイド孔差し込み突起
8：作業者の手
9：包埋枠状基体
9a：包埋枠状基体４角
9b：包埋枠状基体の格子状構造体
10：独立した生物試料収納固定移送処理用多孔容器籠の患者名・試料名
11：スポンジ状ポリマーゲルマット状固定枠上の患者名（試料名）
12：ピンセット
13：包埋剤
14：独立した生物試料収納固定移送処理用多孔容器籠
14a：独立した保護板付き生物試料収納固定移送処理用多孔容器籠底部
14b：独立した保護板付き生物試料収納固定移送処理用多孔容器籠蓋体
14c：多孔蓋体のスポンジ状ポリマーゲル製方形底部との嵌合係止部
14d：多孔通液性容器状底部
14e：傾斜データ記載部またはデータラベル保護板
14f：スポンジゲル製裏打ち台紙挿入小部屋
14g：試料包埋用窓口
14h：スポンジ状ポリマーゲル製方形底部に嵌合する蓋体
14i：スポンジ状ポリマーゲル製方形底部に嵌合する蓋体の開閉用舌部
14j：包埋枠状基体に対する係止部
15：Hold Jell（包埋定着支持剤）
15a：ゲル化した試料の包埋定着支持剤（ポリマー２）
16：凝固剤（ゲル化剤）
17：包埋皿
18：切り出し用メス
19：データラベル
20：ICチップ（RFID）
21：コールドプレート
22：Tissue arrayer スポンジゲルマット
22a：Tissue arrayer スポンジゲルマットの試料配列経度番号
22b：Tissue arrayer スポンジゲルマットの試料配列緯度番号
23：ミクロトーム刃
24：薄切用包埋ブロック枠状基体固定用アダプター
25：二重ラベル
25a：二重ラベルの二次元データコード
25b：二重ラベルの患者検査試料番号 
25c：二重ラベルの固定移送容器貼り付けガイド孔
25d：二重ラベルの切り取り線
【図１】
2011247647.tif 000003
【図２】
2011247647.tif 000004
【図３】
2011247647.tif 000005
【図４】
2011247647.tif 000006
【図５】
2011247647.tif 000007
【図６】
2011247647.tif 000008
【図７】
2011247647.tif 000009
【図８】
2011247647.tif 000010
【図９】
2011247647.tif 000011
【図１０】
2011247647.tif 000012
【図１１】
2011247647.tif 000013
【図１２】
2011247647.tif 000014
【図１３】
2011247647.tif 000015
【図１４】
2011247647.tif 000016
【図１５】
2011247647.tif 000017
【図１６】
2011247647.tif 000018
【図１７】
2011247647.tif 000019
【図１８】
2011247647.tif 000020
【図１９】
2011247647.tif 000021
【図２０】
2011247647.tif 000022
【図２１】
2011247647.tif 000023
【図２２】
2011247647.tif 000024
【図２３】
2011247647.tif 000025
【図２４】
2011247647.tif 000026
【図２５】
2011247647.tif 000027
【図２６】
2011247647.tif 000028
【図２７】
2011247647.tif 000029
【図２８】
2011247647.tif 000030
【図２９】
2011247647.tif 000031
【図３０】
2011247647.tif 000032
【図３１】
2011247647.tif 000033
【図３２】
2011247647.tif 000034
【図３３】
2011247647.tif 000035
【図３４】
2011247647.tif 000036